(57)【特許請求の範囲】
【請求項１】
ケーブル心と、このケーブル心を被覆する外被とによって構成され、管内の底部に敷設される管内敷設用ケーブルであって、
前記外被は、その外被の前記管内面との接触部が前記管内の内面曲率と同一曲率でもって湾曲形成されているとともに、前記外被の残余の部分が、前記接触部の両端部と接続するように湾曲形成されていることを特徴とする管内敷設用ケーブル。
【請求項２】
前記ケーブル心が、メインケーブル心と、分岐用のサブケーブル心とによって構成され、このサブケーブル心が、前記メインケーブル心の側部に配設されていることを特徴とする請求項１に記載の管内敷設用ケーブル。
【請求項３】
前記サブケーブル心が、前記メインケーブル心の両側に配設されていることを特徴とする請求項２に記載の管内敷設用ケーブル。
【請求項４】
前記外被の側部で、前記サブケーブル心と対向させられる位置には、前記外被の長さ方向全長にわたって切り込みが形成されていることを特徴とする請求項２または請求項３に記載の管内敷設用ケーブル。
【請求項５】
前記ケーブル心が、光ケーブル心線であることを特徴とする請求項１ないし請求項４の何れかに記載の管内敷設用ケーブル。
【請求項６】
前記ケーブル心が、金属ケーブル心線であることを特徴とする請求項１ないし請求項４の何れかに記載の管内敷設用ケーブル。
【発明の詳細な説明】
【０００１】
【発明の属する技術分野】
本発明は、管内敷設用ケーブルに係わり、特に、下水道等を構成する管内へ好適に敷設される管内敷設用ケーブルに関するものである。
【０００２】
【従来の技術】
近年、通信用ケーブルや電力ケーブル等のケーブルを、下水道管内に敷設することが行われている。
そして、前記ケーブルは、一般的に、図３に符号１で示すように、断面が円状に形成されており、下水道管２の底部に沿って敷設されるようになっている。
【０００３】
【発明が解決しようとする課題】
ところで、このような従来における下水道管２内へのケーブル１の敷設方法であると、前記ケーブル１が、下水道管２内を流れる汚水Ｗ中に埋没された状態となされる。
しかしながら、前記汚水Ｗの流れが、前記ケーブル１の存在によって、図３に矢印で示すような流れとなり、この結果、前記ケーブル１の側部と下水道管２の内面との間に淀みを生じさせる。
そして、このような淀みによって、同図に波線で示す領域に、前記汚水Ｗ中の汚泥が集積されてしまい、この結果、前記汚水Ｗの流れを阻害してしまうことが想定される。
【０００４】
そして、前記下水道管２は、図４に示すように、本管２ａと、この本管２ａから分岐された多数の分岐管２ｂとによって構成されており、前記ケーブル１も、前記本管２ａに沿って敷設されるメインケーブル１ａと、このメインケーブル１ａから分岐させられて、前記分岐管２ｂに沿って敷設されるサブケーブル１ｂとによって構成されることが多い。
【０００５】
このようにサブケーブル１ｂが併設される場合には、このサブケーブル１ｂが、図３に示すように、本管２ａにおいて前記メインケーブル１ａに沿って敷設されることから、前記本管２ａの底部に複雑な凹凸形状が形成されることから、前述したような汚水Ｗの流れが複雑なものとなって、これに伴い、汚水Ｗの淀みも複雑かつ多数箇所に発生し、汚泥の堆積を促進してしまう。
【０００６】
このような問題点を解消するために、たとえば、図５に示すように、下水道管２の内部上面に、吊り金具３を設置して、この吊り金具３によって、前記メインケーブル１ａやサブケーブル１ｂを吊り下げるようにして敷設することも考えられている。
【０００７】
しかしながら、このような対処方法であっても、前記吊り金具３を設けることにより、前記ケーブル１の敷設費用が高騰してしまうという不具合が生じる。
また、前記下水道管２は、その内径が２００ｍｍと小さく、既設の下水道管２内に、前述した吊り金具３を取り付けることは困難で、実際には施工不可能である。
【０００８】
本発明は、このような従来の問題点に鑑みてなされたもので、簡便な作業によって敷設が可能であり、かつ、管内の水の流れを阻害することのない、管内敷設用ケーブルを提供することを目的とする。
【０００９】
【課題を解決するための手段】
本発明の請求項１に記載の管内敷設用ケーブルは、前述した目的を達成するために、ケーブル心と、このケーブル心を被覆する外被とによって構成され、管内の底部に敷設される管内敷設用ケーブルであって、前記外被は、その外被の前記管内面との接触部が前記管内の内面曲率と同一曲率でもって湾曲形成されているとともに、前記外被の残余の部分が、前記接触部の両端部と接続するように湾曲形成されていることを特徴とする。
本発明の請求項２に記載の管内敷設用ケーブルは、請求項１に記載の前記ケーブル心が、メインケーブル心と、分岐用のサブケーブル心とによって構成され、このサブケーブル心が、前記メインケーブル心の側部に配設されていることを特徴とする。
本発明の請求項３に記載の管内敷設用ケーブルは、請求項２に記載の前記サブケーブル心が、前記メインケーブル心の両側に配設されていることを特徴とする。
本発明の請求項４に記載の管内敷設用ケーブルは、請求項２または請求項３に記載の前記外被の側部で、前記サブケーブル心と対向させられる位置には、前記外被の長さ方向全長にわたって切り込みが形成されていることを特徴とする。
本発明の請求項５に記載の管内敷設用ケーブルは、請求項１ないし請求項４の何れかに記載の前記ケーブル心が、光ケーブル心線であることを特徴とする。
本発明の請求項６に記載の管内敷設用ケーブルは、請求項１ないし請求項４の何れかに記載の前記ケーブル心が、金属ケーブル心線であることを特徴とする。
【００１０】
【発明の実施の形態】
以下、本発明の一実施形態について、図１および図２を参照して説明する。
なお、以下の説明中、前記図３ないし図５と共通する部分については同一符号を用いて説明を簡略化する。
図１および図２において符号１０で示す本実施形態に係わるケーブルは、ケーブル心１１と、このケーブル心１１を被覆する外被１２とによって構成され、管（本実施形態においては下水道管２の本管２ａを示した）内の底部に敷設されるものであって、前記外被１２の、前記本管２ａの底部内面との接触部１２ａが、この前記本管２ａの内面曲率と同一曲率となされているとともに、前記外被１２の残余の部分（残部と称す）１２ｂが、前記本管２ａの内面との接触部１２ａの両端部を接続するように湾曲させられた概略構成となっている。
【００１１】
ついで、これらの詳細について説明すれば、前記ケーブル心１１は、前記本管２ａに沿って敷設されるメインケーブル心１１ａと、分岐管２ｂへ分岐されるサブケーブル心１１ｂとによって構成され、本実施形態においては、前記サブケーブル心１１ｂが、３本を１組として、前記メインケーブル心１１ａの両側部に配設されている。
【００１２】
また、前記メインケーブル心１１ａは、中心抗張力体１５に、螺旋または反転螺旋状に等間隔に形成された溝を有する合成樹脂製の光ファイバ支持体１６を設け、この光ファイバ支持体１６の溝にテープ状の光ファイバ１３を収納し、これらを押さえテープ１４によって覆い、さらに、押さえテープ１４の周りをシース１７によって覆った構成となっている。
【００１３】
前記サブケーブル心１１ｂは、光ファイバ１８と、この光ファイバ１８を覆う保護体１９と、この保護体１９を覆って設けられたシース２０とによって構成されている。
【００１４】
また、前記外被１２の側部で、前記サブケーブル心１１ｂと対向させられる位置には、前記外被１２の長さ方向全長にわたって切り込み２１が形成されており、この切り込み２１に沿って、前記外被１２を引き裂くことにより、図２（ｂ）に示すように、前記サブケーブル心１１ｂを外被１２の側部に引き出すことが可能となされている。
【００１５】
ついで、このように構成された本実施形態に係わるケーブル１０の敷設方法について説明すれば、このケーブル１０をドラムに所定長さ巻回しておき、その先端部を、マンホール等を利用して前記本管２ａ内に挿入するとともに、前記ケーブル１０の接触部１２ａを前記本管２ａの底部内面に接触させ、この状態で、前記ケーブル１０を順次送り込み、あるいは、メッセンジャワイヤ等を用いて、前記ケーブル１０を引き込むことにより、前記本管２ａの底部内面に沿って、前記ケーブル１０を敷設する。
【００１６】
このようにして敷設されたケーブル１０は、その接触部１２ａが前記本管２ａの底部内面に接触させられるが、この接触部１２ａと本管２ａの底部内面が同一曲率となされていることから、図１に示すように、これら接触部１２ａと本管２ａの底部内面とが隙間なく接触させられる。
これと同時に、前記ケーブル１０の残部１２ｂが、前記接触部１２ａの両側部を接続するように湾曲して形成されていることから、前記ケーブル１０の上面と前記本管２ａの底部内面との連続部が滑らかとなる。
したがって、前記ケーブル１０が敷設された後に、前記本管２ａ内に汚水Ｗ等が流され、この汚水Ｗ等が、ケーブル１０と交差する方向に流れた場合にあっても、図１に矢印で示すように、淀みが発生することが防止される。
この結果、汚泥等の堆積が防止されるとともに、前記汚水Ｗ等の流れが阻害されるようなことはない。
また、前記下水道管２内を流れる水等が、前記ケーブル１０と交差する方向に流れた際に、前述したように、この水等が、ケーブル１０の表面に沿って円滑に流れることから、前記ケーブル１０に振動が生じることが抑制される。
この結果、ケーブル１０の振動疲労が抑制されて、その耐久性が向上する。
【００１７】
一方、本実施形態においては、前記ケーブル１０の外被１２に切り込み２１が全長にわたって形成されていることにより、前記分岐管２ｂに対応した位置よりも前方部分に、たとえば、前記分岐管２ｂの長さに応じた距離分、前記外被１２を前記切り込み２１に沿って切り離し、この切り離し部分から、図２（ｂ）に示すように、前記サブケーブル心１１ｂを引き出しておき、この引き出されたサブケーブル心１１ｂを、たとえばロボット等を用いて、前記分岐管２ｂへ引き込むことによって、前記サブケーブル心１１ｂが前記分岐管２ｂ内へ敷設される。
あるいは、サブケーブル心１１ｂを敷設すべき分岐管２ｂからリードロープ等を挿入しておき、このリードロープによって前記サブケーブル心１１ｂを分岐管２ｂへ引き込むことも可能である。
【００１８】
このように、前記サブケーブル心１１ｂをケーブル１０から引き出す際において、前記外被１２に切り込み２１が形成されていることにより、外被１２を、前記サブケーブル心１１ｂに対応した位置において、確実かつ容易に裂くことができ、これによって、前記サブケーブル心１１ｂを確実に引き出すことができる。
【００１９】
なお、前記実施形態において示した各構成部材の諸形状や寸法等は一例であって、設計要求等に基づき種々変更可能である。
たとえば、前記外被１２の接触部１２ａにおける曲率は、敷設される下水道管２等の管の内径に応じて変更可能であり、また、前記ケーブル１０を構成するケーブル心１１として、光ファイバ心線以外に、金属ケーブル心線や他の心線とすることも可能である。
さらに、図６に示すように、ケーブル心１１のシース２３自体を、前述した外被１２の断面形状とした（湾曲した接触部２３ａおよび残部２３ｂを有する）ケーブル２２とすることも可能であり、また、前記サブケーブル心１１ｂを省略することも可能である。
【００２０】
【発明の効果】
以上説明したように、本発明に係わる管内敷設用ケーブルによれば、この管内敷設用ケーブルを構成する外被の、管内面との接触部を、前記管の内面曲率と同一曲率とし、前記外被の残余の部分を、前記管内面との接触部の両端部を接続するように湾曲させたことにより、前記管内に水等が流入し、この水によって前記管内敷設用ケーブルが浸された状態にあって、前記水が前記管内敷設用ケーブルと交差する方向に流れた場合にあっても、その流れに淀みが発生することを防止することができる。
この結果、前記管内敷設用ケーブル周りに汚泥等が堆積すること防止して、管内の水の流れの円滑性を確保することができる。
また、前記ケーブル心線を、メインケーブル心と、分岐用のサブケーブル心とによって構成し、このサブケーブル心を、前記メインケーブル心の側部に配設したことにより、管内敷設用ケーブルを分岐して敷設する必要が生じた場合に、前記サブケーブル心を外被から引き出すことにより、即座に対応することができる。
さらに、前記外被の側部で、前記サブケーブル心と対向させられる位置に、前記外被の長さ方向全長にわたって切り込みを形成しておくことにより、前記外被を、前記サブケーブル心に対応した位置において、容易にかつ確実に切り裂くことができ、これによって、前記サブケーブル心の分岐を容易にかつ確実に行うことができる。
【図面の簡単な説明】
【図１】本発明の一実施形態に係わる管内敷設用ケーブルを管内に敷設した状態を示す縦断面図である。
【図２】本発明の一実施形態を示すもので、（ａ）は縦断面図、（ｂ）はサブケーブル心を引き出した状態を示す縦断面図である。
【図３】管内敷設用ケーブルの一従来例を示すもので、管内敷設用ケーブルを管内に敷設した状態を示す縦断面図である。
【図４】管内にケーブルを敷設した状態の一例を示す概略平面図である。
【図５】管内敷設用ケーブルの他の従来例を示すもので、管内敷設用ケーブルを管内に敷設した状態を示す縦断面図である。
【図６】本発明の他の実施形態を示す縦断面図である。
【符号の説明】
１  ケーブル
１ａ  メインケーブル
１ｂ  サブケーブル
２  下水道管
２ａ  本管
２ｂ  分岐管
３  吊り金具
１０  （管内敷設用）ケーブル
１１  ケーブル心
１１ａ  メインケーブル心
１１ｂ  サブケーブル心
１２  外被
１２ａ  接触部
１２ｂ  残部
１３  光ファイバ
１４  押さえテープ
１５  中心抗張力体
１６  光ファイバ支持体
１７  シース
１８  光ファイバ
１９  保護体
２０  シース
２１  切り込み
２２  ケーブル
２３  シース
２３ａ  接触部
２３ｂ  残部
Ｗ  汚水
【図１】
0003725434.tif 000002
【図２】
0003725434.tif 000003
【図３】
0003725434.tif 000004
【図４】
0003725434.tif 000005
【図５】
0003725434.tif 000006
【図６】
0003725434.tif 000007